(57)【特許請求の範囲】
【請求項１】
重ねられ整列された複数の用紙に対して中綴じ処理と端部綴じ処理とを選択的に行い，上記中綴じ処理を行った後に中折位置において中折処理を行う用紙後処理装置であって，上記中綴じ処理と端部綴じ処理とを両処理に共通の用紙搬送経路内で行うと共に，中綴じ処理された用紙と端部綴じ処理された用紙とをそれぞれ別個の排出部から排出するようにした用紙後処理装置において，上記中綴じ処理における用紙の固定と，用紙を把持することによる中綴じ位置から中折位置への用紙の搬送と，中折位置において押し型が用紙を把持した時点での用紙の把持の開放とを，共通の搬送ローラ対により行うようにしたことを特徴とする用紙後処理装置。
【請求項２】
少なくとも上段及び下段の２個の排出部を具備する請求項１記載の用紙後処理装置。
【請求項３】
２個の排出部の内，中綴じ側の排出部が用紙排出方向に下降する傾斜を持つ排紙トレイを具備してなる請求項１記載の用紙後処理装置。
【請求項４】
端部綴じされた用紙が，綴じ処理位置から上昇方向に搬送された後，排出部に排出され，中綴じされた用紙が，綴じ処理位置から下降方向に搬送された後，排出部に排出されてなる請求項１記載の用紙後処理装置。
【請求項５】
綴じ処理を行う前の用紙の整列と，綴じ処理が，実質的に同じ位置で行なわれてなる請求項１記載の用紙後処理装置。
【請求項６】
重ねられ整列された複数の用紙に対して中綴じ処理及び端部綴じ処理を選択的に行う用紙後処理装置であって，共通の用紙供給部から順次供給された複数の用紙を整列させて重ね合わせる整列部と，整列された用紙に中綴じ処理及び端部綴じ処理を共通の用紙搬送経路内で選択的に行う綴じ処理部と，中綴じされた用紙を搬送する第１の搬送経路と，上記第１の搬送経路中で中綴じされた用紙に折り曲げ処理を与える折り曲げ部と，上記折り曲げ部で折り曲げ処理された用紙を排出する第１の排出部と，端部綴じされた用紙を搬送する上記第１の搬送経路とは別の第２の搬送経路と，上記第２の搬送経路からの用紙を排出する上記第１の排出部とは別の第２の排出部とを具備してなる用紙後処理装置において，上記中綴じ処理における用紙の固定と，用紙を把持することによる中綴じ位置から中折位置への用紙の搬送と，中折位置において押し型が用紙を把持した時点での用紙の把持の開放とを，共通の搬送ローラ対により行うようにしたことを特徴とする用紙後処理装置。
【発明の詳細な説明】
【０００１】
【発明の属する技術分野】
本発明は，プリンタ，複写機，印刷機等の用紙処理装置で処理された用紙に後処理としての綴じ処理を施す用紙後処理装置に係り，特に，平綴じやコーナー綴じなどの所謂端部綴じと，厚めの冊子を作るために綴じられた用紙に折り曲げ処理を施す中綴じとを選択的に行いうる用紙後処理装置に関するものである。
【０００２】
【従来の技術】
従来，複数の用紙をステープルを用いて綴じ合わせる手法の代表例として，端部綴じと中綴じがある。前者は用紙を折り曲げる事無く重ね合わせた複数の用紙の端部をステープルで綴じ合わせる。第６図(１)のように用紙Ｐの端部中央を振り分けとして２個のステープルＳ１を打ち込む場合を，平綴じ，(２) のように角部にステープルＳ２を打ち込む場合が，コーナー綴じである。後者の中綴じは，第６図（３）のように重ね合わせた用紙の中心線上に２個のステープルＳ３を打ち込み，上記中心線に沿って折り曲げる場合である。中綴じではこの折り曲げ処理を行うために，用紙先端が揃わなくなるので，製本に先立って２点鎖線Ｌ１に沿って用紙を断裁する。
また，中綴じの方法としては，用紙を先に折り曲げてからステープル処理を施す場合と，ステープル処理を施した後，折り曲げる場合（簡易型中綴じという）とがある。前者は完全な折り目が形成される事から，印刷機や，製本機において従来より多用されている。後者は，折り目が多少不完全であるが，比較的簡易な装置で達成可能である事から，近年，複写機，プリンタ等の画像形成装置の後処理装置に用いられるようになってきている。本発明の場合も，後者の簡易型中綴じの場合を扱う。
図３から図５は上記のような従来の簡易中綴じ装置の構成を示す模式図である。
【０００３】
図３に示す例では，印刷機，複写機，プリンタ等の画像形成装置本体１から出た用紙は，整列部２ａにおいて複数枚重ねられ整列される。整列された用紙は，ステープラを具備する綴じ部３ａで端部綴じ或いは中綴じによるステープル処理される。その後，用紙は，折り曲げ部４ａに送られる。折り曲げ部４ａには，その下方に１対の折り曲げローラ５ａがあり，中綴じを行う場合には，用紙の中心線が上記折り曲げローラ５ａに差し掛かった時，押し型６ａが用紙の中心線に向かって下降し，用紙を上記中心線に沿って折り曲げつつ折り曲げローラ５ａに差し込む。折り曲げローラ５ａは，回転して用紙を搬送する事で用紙に折り癖を付けながら用紙を下方へ送り出す。
また，端部綴じを行う場合には，用紙を折り曲げる必要が無いので，押し型を作用させる事なく押し型６ａと折り曲げローラ５ａとの間を通過させる。
中綴じ用の用紙搬送経路と端部綴じ用の用紙搬送経路は，その後断裁機７ａで合流しており，綴じ処理された用紙は，断裁後（端部綴じは断裁されない）排出部８ａに排出される。
この場合，実質的に整列処理した位置とほぼ同じ位置で綴じ処理を行うものも，公知である。
図４に示した例では，画像形成装置１ｂから折り曲げ部４ｂの構成については図３の場合と同様であるが，その後の用紙搬送経路が下方へ折り曲げられており，断裁部７ｂ及び排出部８ｂが下方に位置する分だけ装置全体の小型化が図られている。
次に図５の例では，画像形成装置１ｃから出た用紙は，その直後に端部綴じ用経路と中綴じ用経路に別れて搬送される。そのために端部綴じ用の専用経路（整列・綴じ部３ｃ−１，排出部８ｃ−１）と，中綴じ用の専用経路（整列・綴じ部３ｃ−２，折り曲げ部４ｃ，断裁部７ｃ，排出部８ｃ−２）とを具備する。
【０００４】
【発明が解決しようとする課題】
上記従来技術の内，図３及び図４に示した例では，綴じ処理の終わった用紙が，端部綴じの場合も，中綴じの場合も，すべて１つの排出部に排出される。しかし，図７（１）に示した端部綴じされた用紙に都合がよいように排出方向に上昇する通常の排出部８ｉに中綴じされた用紙を排出すると，中綴じされた用紙は折り曲げにより嵩高になっているので，多数の用紙を排出すると用紙が倒れるなどの不都合があり，中綴じ，端部綴じの両方の用紙を１つの排出部に排出するには無理がある。
この点，図５に示した例では，中綴じ用排出部８ｄと，端部綴じ用排出部８ｃが別個に設けられているので，上記のような不都合は生じないが，一方で，端部綴じ用の用紙経路と，中綴じ用の用紙経路が完全に別個に設けられているため，装置全体が大型化する不都合がある。特に，整列部及び綴じ部は，端部綴じと中綴じとで共用できるにもかかわらず，それぞれ独立に整列部，綴じ部を具備しており，無駄な構成となっている。
本発明は上記したような課題をすべて一挙に解決しうる用紙後処理装置の提供を目的として創案されたものである。
【０００５】
【課題を解決するための手段】
上記目的を達成するために本発明は，重ねられ整列された複数の用紙に対して中綴じ処理と端部綴じ処理とを選択的に行い，上記中綴じ処理を行った後に中折位置において中折処理を行う用紙後処理装置であって，上記中綴じ処理と端部綴じ処理とを両処理に共通の用紙搬送経路内で行うと共に，中綴じ処理された用紙と端部綴じ処理された用紙とをそれぞれ別個の排出部から排出するようにした用紙後処理装置において，上記中綴じ処理における用紙の固定と，用紙を把持することによる中綴じ位置から中折位置への用紙の搬送と，中折位置において押し型が用紙を把持した時点での用紙の把持の開放とを，共通の搬送ローラ対により行うようにしたことを特徴とする用紙後処理装置として構成されている。上記別個に設けられた排出部は，例えば，上段と下段に設けられる事により，合理的な配置が得られる。
また，２個の排出部の内，中綴じ側の排出部を，用紙排出方向に下降する傾斜を持つように構成する事で，嵩高な中綴じされた用紙を倒れなく排出部に排出できる。
共通の綴じ部で端部綴じ或いは中綴じされた用紙の搬送方向としては，端部綴じ及び中綴じの綴じ方に応じた方向性を与える事が望ましい。例えば，端部綴じされた用紙については上方へ，中綴じされた用紙については下方へ搬送して，端部綴じされた用紙は上方の排出部へ，中綴じされた用紙は，下方の排出部へそれぞれ排出することができる。
綴じ処理を行う前の用紙の整列と，綴じ処理を，実質的に同じ位置で行なわせることでスペースの省略が図りうる。ここにおいて，実質的に同じ位置とは，整列処理を行った位置で，用紙を停止させた状態でステープラを移動させてステープル処理を行う場合と，用紙を若干移動させてステープル処理を行う場合の両方を含むものである。前者の場合，少ないステープラで複数の用紙の大きさに対応させることができる。また，少ないステープラで端部綴じと，中綴じの切替に対応させることができる。また後者の場合には，逆にステープラを固定して，用紙を移動させる事で，複数のステープラを設ける必要が無くなる。
また，用紙後処理装置全体としては，共通の用紙供給部から順次供給された複数の用紙を整列させて重ね合わせる整列部と，整列された用紙に中綴じ処理及び端部綴じ処理を共通の用紙搬送経路内で選択的に行う綴じ処理部と，中綴じされた用紙を搬送する第１の搬送経路と，上記第１の搬送経路中で中綴じされた用紙に折り曲げ処理を与える折り曲げ部と，記折り曲げ部で折り曲げ処理された用紙を排出する第１の排出部と，端部綴じされた用紙を搬送する上記第１の搬送経路とは別の第２の搬送経路と，上記第２の搬送経路からの用紙を排出する上記第１の排出部とは別の第２の排出部とを具備してなるように構成する事ができる。
【０００６】
【作用】
請求項１に記載された発明では，中綴じ処理と端部綴じ処理とが両処理に共通の用紙搬送経路内で行われた後，中綴じ処理された用紙と端部綴じ処理された用紙とが別個の排出部から排出される。
本発明の構成により，端部綴じの場合と，中綴じの場合とで整列部及び綴じ部が共有化され，スペースの無駄が無くなる。
また，端部綴じされた用紙と，中綴じされた用紙がそれぞれその綴じ形態に適した別個の排出部から排出され，中綴じされた用紙が排出部で倒れるといった不都合が解消される。また，請求項６に記載された発明では，共通の用紙供給部から順次供給された複数の用紙は，整列部において用紙の位置が整列される。整列された用紙には，必要に応じて中綴じ処理又は，端部綴じ処理が共通の用紙搬送経路内で選択的に行われる。このうち，中綴じされた用紙は，折り曲げ部を具備する第１の搬送経路に送られ，折り曲げ処理が与えられる。上記折り曲げ部で折り曲げ処理された用紙は，第１の排出部から排出される。端部綴じされた用紙は，上記第１の搬送経路とは別の第２の搬送経路を経て，上記第１の排出部とは別の第２の排出部から排出される。
【０００７】
【発明の実施の形態】
以下，添付図面を参照して本発明の実施の形態及び実施例につき説明し，本発明の理解に供する。尚，以下の実施の形態及び実施例は，本発明を具体化した一例であって，本発明の技術的範囲を限定する性格のものではない。
ここに，図１は本発明の実施の形態に係る用紙後処理装置の一例を示す正断面図，図２は，その概略構成を示す模式図である。
本実施の形態に係る用紙後処理装置では，図１に示すように，後処理装置１０は，図示の右側側面において図外の画像形成装置と連結される。従って，後処理装置１０の右側面には，画像形成装置より排出される画像形成済みの用紙を受け入れる給紙口１１が設けられている。又，上記給紙口１１に連結された搬送路１２には，用紙を上向きに搬送する搬送路１３と下向きに搬送する搬送路１４が連結されている。上記搬送路１２と搬送路１３及び１４の分岐部には，用紙の搬送方向を切り替える切り換え爪１５が揺動可能に設けられている。上記上側の搬送路１３は，その出口において排出部１６に連結され，上記出口には排出ローラ１７が設けられている。３７は，上記排出部１６に接続された排紙トレイで，排出方向に向けて上方向に傾斜している。
【０００８】
上記下側の搬送路１４には，用紙搬送方向上流側から下流側に向けて順に３個の切り換え爪１８ａ，１８ｂ，１８ｃが配列されている。各切り換え爪１８ａ，１８ｂ，１８ｃは，それぞれ実線位置と，１点鎖線位置との間で揺動され，各切り換え爪１８ａ，１８ｂ，１８ｃの部分を通過する用紙の搬送方向を切り換える。各切り換え爪による切り換え部分及び切り換え爪１８ｃの揺動中心部には回転する事によりその摩擦力で用紙を搬送すると共に，後述するように用紙の端部を移動させて後から搬送されてくる用紙と先の用紙との干渉を防止するブラシローラ１９ａ，１９ｂ，１９ｃ，１９ｄが回転可能に取り付けられている。２０ａ，２０ｂ，２０ｃ，２０ｄは，上記ブラシローラと共に回転して用紙を送り出す補助ローラである。上記下側の搬送路は，更に上記ブラシローラ１９ａ（或いは１９ｂ，１９ｃ，１９ｄ）と上記補助ローラ２０ａ（或いは２０ｂ，２０ｃ，２０ｄ）との間で搬送を行う内側搬送路１４ａと，上記補助ローラ２０ａ，２０ｂ，２０ｃ，２０ｄの外側に形成される外側搬送路１４ｂに分岐され，その分岐部には，両搬送路１４ａ，１４ｂを切り換える切り換え爪２１が揺動可能に設けられている。
【０００９】
上記ブラシローラ１９ａ，１９ｂ，１９ｃ，１９ｄを挟んで補助ローラ２０ａ，２０ｂ，２０ｃ，２０ｄとは反対側には，これらのブラシローラ列と平行に中間トレイ２２が設けられている。該中間トレイ２２は，図１の紙面に垂直の方向に分離されており，その分離部（上下方向）に沿って無端ベルト２３が張られている。無端ベルト２３は，ベルトローラ２４ａ，２４ｂ間に張られており，矢印Ｘ方向に走行することにより該無端ベルト２３表面に固定された用紙受け２６にて，上記中間トレイ２２上に供給され，端部綴じされた用紙を，上方向（矢印Ｘ方向）に向けて搬送する。無端ベルト２３の上方には，用紙を排出部３３に案内するガイド部材３４及び排出ローラ３５が設けられている。排出部３３には，端部綴じされた用紙束を受けやすいように，排出方向に向けて上向きに傾斜する排出トレイ３８が連結されている。尚，排出トレイ３８は，上下に張られた無端ベルト３９に固定されており，図示せぬガイド機構に案内されつつ，上記無端ベルト３９により，排出される用紙量に応じて上下方向に移動される。
２５は中間トレイ２２の両端に（正面から見て左右に）１対設けられたカーソルで，紙面に垂直の方向に往復動することにより，中間トレイ２２上に供給された用紙を用紙の搬送方向に直角の方向に整列させる。上記用紙受け２６は待機状態（用紙の供給を待つ状態）において，実線で示された位置にあり，中間トレイ２２内に供給された用紙の下端が当接して，用紙を上下方向に整列させる働きをなす。
【００１０】
また，中間トレイ２２の下端部には，該中間トレイ２２に供給され，上記用紙受け２６上にセットされた用紙を挟み込む事により保持すると共に，回転する事により下方に搬送する搬送ローラ対２７（２７ａ，２７ｂ）が設けられている。該搬送ローラ対２７を構成する一方のローラ２７ａは，上記待機状態において実線で示す開位置にあり，所定枚数の用紙が供給された後に一点鎖線位置まで閉じて用紙束を把持する。更に，中間トレイ２２の下端部の上記搬送ローラ対２７とは干渉しない位置には，供給された用紙を挟んでその上下に分離された上ステープラ２８ａ及び下ステープラ２８ｂよりなるステープラ２８が設けられている。この実施例ではステープラ２８の用紙搬送方向の位置は固定されており，用紙側が上記搬送ローラ対２７により移動してステープルを打ち込む位置が調整される。中間トレイ２２の下方に設けられた一連の用紙ガイド３９ａ，３９ｂの中間には，上記搬送ローラ対２７で運ばれてきて位置決めされた用紙束（既に中綴じ位置にステープル打ちされている）の中心線に沿って折り曲げる押し型２９が矢印Ｙ方向に往復動可能に設けられている。２対の折り曲げローラ３０は，上記押し具２９に対向する位置に設けられ，回転することにより押し具２９で押し込まれた用紙を折り曲げると共に，続く断裁部３１に用紙を搬送する。折り曲げローラを２対使用する目的は，よりシャープな折り目を形成するためである。
断裁部３１は，中綴じされた用紙束の端部を切断するカッター３１ａ，３１ｂ，断裁時に用紙をプレスする用紙圧着手段４１，断裁前後の用紙を搬送する搬送ローラ３３，断裁クズを蓄積するクズバコ３８及び断裁された用紙を排出部３２に搬送する搬送ローラ３６を具備する。３７は，排出された用紙を受ける排出トレイであり，中綴じされた用紙を多く受けうるように，搬送方向に向けて下方向に傾斜している。
【００１１】
次に後処理装置１０内における用紙の動きによって，後処理装置１０の構成を更に説明する。
〔ステープル処理を行わない場合〕
この場合には，切り換え爪１５が図示の一点鎖線位置の切り換えられており，供給口１１から供給された用紙は，上側の搬送路１３を通って排出ローラ１７に至り，排出部１６から排出トレイ３７上に排出される。
〔ステープル処理を行う場合〕
この場合には，端部綴じ及び中綴じのいずれの場合も，上記切り替え爪１５は，実線で示す上側の位置に切り換えられると共に，その下の切り替え爪２１が図示の実線位置に切り換えられる。これにより供給口１１から搬入された用紙は切り換え爪１５と２１との間を通って，内側搬送路１４ａに向かう。この時，切り換え爪１８ａ〜１８ｂは，搬送される用紙のサイズに応じて切り換えられている。この例では４種類のサイズの用紙を切り分けて処理しうる。例えば処理しうる最も大きいサイズの用紙が搬送されてきた場合には，切り換え爪１８ａが一点鎖線位置に切り換えられており，用紙は内側搬送路１４ａから，上記切り換え爪１８ａとブラシローラ１９ａとの間を通って中間トレイ２２上に供給される。
【００１２】
２番目に大きいサイズの用紙が供給された場合には，切り換え爪１８ａは一点鎖線位置に切り換えられる一方，切り換え爪１８ｂが実線位置に切り換えられている事により，用紙は切り換え爪１８ａでは内側搬送路１４ａ内を通り，切り換え爪１８ｂにおいて方向を変えて中間トレイ２２上に供給される。同様に，その次に小さいサイズの用紙の場合には，切り換え爪１８ａ，１８ｂは実線位置にあり，切り換え爪１８ｃが一点鎖線位置に切り換えられている事により用紙は切り換え爪１８ｃに沿って進行方向を変え，中間トレイ２２に供給される。更に，最も小さいサイズの用紙の場合には，すべての切り換え爪１８ａ乃至１８ｃが実線位置に切り換えられており，用紙は，最も下のブラシローラ１９ｄと補助ローラ２０ｄとの間を通って中間トレイ２２に供給される。中間トレイ２２に供給された用紙は，その下端が図示の実線で示す所定位置にある用紙受け２６に当接して停止する。従って，すべての用紙の中間トレイ内における上下方向の整列はこの用紙受け２６に用紙が載置されることにより行なわれる。又，搬送方向に直角の方向の整列はカーソル２５が紙面に直角の方向に往復移動する事によりカーソル２５が用紙の位置決めを行う事により達成される。
【００１３】
Ａ．端部綴じの場合
前記した平綴じやコーナー綴じを含む端部綴じの場合，上記のように搬送方向及びそれに直角の方向の整列が行なわれた位置で上下ステープラ２８ａ，２８ｂが閉じてステープル打ちが行なわれる。ステープル処理が完了すると，無端ベルト２３が矢印Ｘで示す方向に走行されることによって用紙受け２６が上昇し，ステープル処理された用紙を上方向へ押し上げる。押し上げられた用紙は，その先端がガイド部材３４に案内され，更に回転する排出ローラ３５に把持され，排紙トレイ３８に排出される。
Ｂ．中綴じの場合
中綴じを行う場合には，上記した整列状態にある用紙束に搬送ローラ２７ａが押し当てられ，固定される。この状態で無端ベルト２３が矢印Ｘとは反対方向に走行し，用紙受け２６が一点鎖線で示す位置（２６ａ）に待避する。続いて上下の搬送ローラ２７ａ，２７ｂの回転によって用紙が下方向へ送られる。送られた用紙は，用紙ガイド３９ａ，３９ｂの中を進むが，用紙の中心線がステープラ２８の綴じ位置に来た時，搬送ローラ対２７の回転が停止し，その位置でステープルの打ち込みが行なわれる。
ステープル処理が完了すると，搬送ローラ対２７ａ，２７ｂが再度回転を開始し，用紙を更に下方へ送る。搬送ローラ対２７は，上記ステープルの打ち込まれた用紙中心線が前記押し型２９の位置に来た時停止する。こうして搬送ローラ対２７により用紙が固定された状態で押し型２９が進出し，用紙を折り曲げつつ回転しつつある折り曲げローラ３０に差し込む。この時，搬送ローラ対２７は，押し型２９が用紙に押し当てられ，用紙を把持した時点で把持を解放する。
折り曲げローラ３０によって折り癖の付けられた用紙は，折り曲げローラ対３０，３０の回転によって送り出され，搬送ローラ３３により断裁位置に搬送，停止させられる。断裁部３１では，用紙圧着手段４１により上下から用紙を挟み込みつつその端部を切断するカッター３１ａ，３１ｂが設けられており，用紙の端縁を断裁して，用紙束の端縁の見栄えを向上させる。断裁クズはクズバコ３８に収納される。
断裁の完了した用紙は，搬送ローラ３３により排出ローラ３６に受け渡され，排紙ローラ３６により排出部３２から排紙トレイ３７に排出される。排出トレイ３７は，中綴じ処理された嵩高の用紙束を沢山載置できるように，搬送方向に下降する傾斜面になっている。
【００１４】
図２は上記実施形態に記載した後処理装置１０を図３から図５の従来装置と比較できるように模式的に描いたものである。この図からも分かるように，この装置の特徴は，上記中綴じ処理と端部綴じ処理とを両処理に共通の用紙搬送経路である中間トレイ２２内で行う点及び，中綴じ処理された用紙と端部綴じ処理された用紙とをそれぞれ別個の排出部８ｄ−１（３３に相当），８ｄ−２（３２に相当）から排出するようにした点である。
また，端部綴じされた用紙が，綴じ処理位置から上昇方向に搬送された後，排出部３３に排出され，中綴じされた用紙が，綴じ処理位置から下降方向に搬送された後，排出部３２に排出される点も特徴点である。
【００１５】
【実施例】
上記実施の形態では，搬送ローラ２７によって用紙の中綴じ位置を調整するようにしているが，例えば，用紙受け２６による移動距離を長くして，用紙受けの停止位置の調整で中綴じ位置を調整するようにしてもよい。
また，上記実施の形態では，上下ステープラ２８ａ，２８ｂを固定して，用紙位置を調整する事で端部綴じ位置と中綴じ位置を用紙サイズに合わせて調整するようにしているが，上下一対の上記ステープラ２８ａ，２８ｂを移動させてステープル位置を調整してもよい。
押し型２９が，用紙を折り曲げローラ３０に差し込む時には，搬送ローラ対２７による用紙の保持を解放しなければならない。この時の用紙のズレを防止する手段として，用紙を挟んで把持する用紙プレス手段４０を押し型２９の近傍に設けることが望ましい。上の実施形態では，搬送ローラ対２７を解放する事で用紙保持の解放機能を達成している。別の方法としては，搬送ローラ対の一方をフリー回転するローラとし，他方に通常のクラッチ或いは滑りクラッチを装着しておく事で，用紙の把持を解放しなくても押し型２９による用紙の移動を妨げない構造とする事ができる。
また，上記実施形態では，端部綴じされた用紙を綴じ位置から上方へ搬送し，中綴じされた用紙を綴じ位置から下方へ送っているが，逆に，端部綴じされた用紙を綴じ位置から下方へ搬送し，中綴じされた用紙を綴じ位置から上方へ送ってもよい。この場合には，上方の排紙トレイが搬送方向に下降するように構成されるので，機台の高さを低くできる長所が期待される。
【００１６】
【発明の効果】
以上説明したように，本発明に係る後処理装置では，嵩高となる中綴じ処理された用紙の排出部と，端部綴じ用の排出部とは別個になるので，合理的で無理のない構成とする事が可能である。
また，整列部及び綴じ部は，端部綴じと中綴じとで共用されており無駄のない用紙搬送経路を達成可能である。
【図面の簡単な説明】
【図１】本発明の実施の形態に係る後処理装置の一例を示す断面図。
【図２】上記実施の形態を模式的に示す模式図。
【図３】従来の後処理装置の一例を示す模式図。
【図４】従来の後処理装置の一例を示す模式図。
【図５】従来の後処理装置の一例を示す模式図。
【図６】従来の用紙の綴じ方の一例を示す模式図。
【図７】従来の用紙の排出状況を説明する側面図。
【符号の説明】
１０…後処理装置
２２…中間トレイ
２５…カーソル
２６…用紙受け
２７（２７ａ，２７ｂ）…ばね
２８ａ，２８ｂ…ステープラ
２９…押し型
３０…折り曲げローラ
３１…断裁部
３２…排出部
３３…排出部
【図１】
0003604555.tif 000002
【図２】
0003604555.tif 000003
【図３】
0003604555.tif 000004
【図４】
0003604555.tif 000005
【図５】
0003604555.tif 000006
【図６】
0003604555.tif 000007
【図７】
0003604555.tif 000008